(57)【要約】  二重接続方式において、Ｘ２−ＧＷは、複数のＨｅＮＢから運用情報を収集する。Ｘ２−ＧＷは、ＵＥがＭｅＮＢに報告した無線品質の測定結果をＭｅＮＢから取得する。Ｘ２−ＧＷは、ＨｅＮＢの運用情報及び前記測定結果に基づいて、ＭｅＮＢから受け取ったＳｅＮＢ追加要求メッセージの送り先を特定し、特定されたＨｅＮＢに対して、ＳｅＮＢ追加要求メッセージを送る。Ｘ２−ＧＷは、ＨｅＮＢからＳｅＮＢ追加要求メッセージに対する肯定応答メッセージを取得すると、当該メッセージをＭｅＮＢに送る。
2016185946.tif 000002
【特許請求の範囲】
【請求項１】
二重接続方式による通信を実行可能な移動通信システムにおけるネットワーク装置であって、
前記移動通信システムは、
ユーザ端末とＲＲＣ接続を確立する第１基地局と、
前記ユーザ端末に追加的な無線リソースを提供可能な第２基地局と、
前記第１基地局及び前記第２基地局にそれぞれ接続された前記ネットワーク装置と、を有し、
前記ネットワーク装置は、制御部を備え、
前記制御部は、複数の前記第２基地局の運用状態を示す運用情報を収集する第１処理と、
前記ユーザ端末が前記第１基地局に報告した前記第２基地局に関する無線品質の測定結果を前記第１基地局から取得する第２処理と、
前記収集された運用情報及び前記取得された測定結果に基づいて、前記第１基地局から受け取った第２基地局追加要求メッセージの送り先となる前記第２基地局を決定する第３処理と、
前記第３処理において決定された前記第２基地局に対して、前記第２基地局追加要求メッセージを送る第４処理と、
前記第２基地局追加要求メッセージの送り先である前記第２基地局から、前記第２基地局追加要求メッセージに対する肯定応答メッセージを取得した場合には、当該肯定応答メッセージを前記第１基地局に送る第５処理と、を実行するネットワーク装置。
【請求項２】
前記制御部は、前記第１処理において複数の前記第２基地局の運用情報を収集できたならば、収集された前記運用情報に対応する前記第２基地局の各々について優先順位を設定し、優先順位の高い前記第２基地局から前記第３処理を実行する前記請求項１に記載のネットワーク装置。
【請求項３】
前記制御部は、前記第２基地局から前記肯定応答メッセージを受け取るまで、前記優先順位に基づいて前記第３処理を続行する前記請求項２記載のネットワーク装置。
【請求項４】
前記制御部は、前記第３処理において、前記第２基地局を複数決定した場合には、前記第４処理において、前記決定された複数の第２基地局に対して一斉に前記第２基地局追加要求メッセージを送り、
前記制御部は、前記第５処理において、前記複数の第２基地局から、前記肯定応答メッセージをそれぞれ取得した場合には、前記収集された運用情報に基づいて、当該複数の第２基地局の中から、前記肯定応答メッセージを前記第１基地局に送る対象の前記第２基地局を選択し、
前記制御部は、該選択された前記第２基地局についての前記肯定応答メッセージを前記第１基地局に送る前記請求項１記載のネットワーク装置。
【請求項５】
前記制御部は、前記第１処理において収集された前記第２基地局の運用情報を記憶し、且つ、前記運用情報を前記第１基地局へ送る処理を更に実行する前記請求項１記載のネットワーク装置。
【請求項６】
前記運用情報は、前記第２基地局の負荷に関する情報、あるいは、前記第２基地局の運用モードを示す情報である前記請求項１記載のネットワーク装置。
【請求項７】
前記第２基地局の負荷に関する情報は、前記第２基地局が収容可能であるユーザ端末の数、前記第２基地局に現在接続されているユーザ端末の数、前記第２基地局において使用されている無線リソースブロック数、及び前記第２基地局のハードウェアの負荷度合のうち、少なくとも一つの情報である前記請求項６記載のネットワーク装置。
【請求項８】
前記第２基地局はホーム基地局であり、
前記第２基地局の運用モードを示す情報は、前記第２基地局の運用モードが、ハイブリッドモード、クローズドモード、及びオープンモードのうち、何れかのモードであるかを示す前記請求項６に記載のネットワーク装置。
【請求項９】
二重接続方式による通信を実行可能な移動通信システムにおける第１基地局であって、
前記移動通信システムは、
ユーザ端末とＲＲＣ接続を確立する前記第１基地局と、
前記ユーザ端末に追加的な無線リソースを提供可能な第２基地局と、
前記第１基地局及び前記第２基地局にそれぞれ接続された前記ネットワーク装置と、を有し、
前記第１基地局は、制御部を備え、
前記制御部は、前記ユーザ端末から、前記第２基地局についての無線品質の測定結果を取得する第１処理と、
前記第２基地局についての無線品質の測定結果を取得した場合には、前記ネットワーク装置に、前記測定結果を含む第２基地局追加要求メッセージを送信する第２処理と、
前記ネットワーク装置から、前記第２基地局追加要求メッセージに対する前記第２基地局の肯定応答メッセージを受信する第３処理と、
前記ユーザ端末に対して、前記肯定応答メッセージの送信元である前記第２基地局を用いた前記二重接続方式のための構成情報を送信する第４処理と、を実行する第１基地局。
【請求項１０】
前記制御部は、前記ネットワーク装置を介して、複数の前記第２基地局の運用状態を示す運用情報を取得し、
前記制御部は、該取得された運用情報と前記測定結果に基づいて、前記第１基地局が第２基地局追加要求メッセージを送る場合における、該第２基地局追加要求メッセージの送り先となる前記第２基地局の優先順位を設定する請求項９に記載の第１基地局。
【請求項１１】
前記制御部は、前記ネットワーク装置を介して、複数の前記第２基地局の運用状態を示す運用情報を取得し、
前記制御部は、該取得された運用情報と前記測定結果に基づいて、前記第２基地局追加要求メッセージを前記ネットワーク装置へ送信するか否かを判断し、
前記制御部は、前記第２基地局要求メッセージを送信すると決めた場合に前記２処理を実行する前記請求項９に記載の第１基地局。
【請求項１２】
前記運用情報は、前記第２基地局の負荷に関する情報、あるいは、前記第２基地局の運用モードを示す情報である前記請求項１０に記載の第１基地局。
【請求項１３】
前記第２基地局の負荷に関する情報は、前記第２基地局に現在接続されているユーザ端末の数、前記第２基地局が収容可能であるユーザ端末の数、前記第２基地局において使用されている無線リソースブロック数、及び前記第２基地局のハードウェアの負荷度合のうち、少なくとも一つの情報である前記請求項１２に記載の第１基地局。
【請求項１４】
前記第２基地局はホーム基地局であり、
前記第２基地局の運用モードを示す情報は、前記第２基地局の運用モードが、ハイブリッドモード、クローズドモード、及びオープンモードのうち、何れかのモードであるかを示す前記請求項１３に記載の第１基地局。
【請求項１５】
前記制御部は、前記第１処理において、前記ユーザ端末から、ＣＳＧ（Ｃｌｏｓｅｄ  Ｓｕｂｓｃｒｉｂｅｒ  Ｇｒｏｕｐ）セル識別子を前記測定結果とともに取得し、
前記第２処理において、前記ＣＳＧセル識別子が、前記ネットワーク装置から予め取得していたＣＳＧセル識別子リストに含まれているならば、前記第２基地局追加要求メッセージを、前記ネットワーク装置に送信する処理を実行する前記請求項９に記載の第１基地局。
【請求項１６】
二重接続方式による通信を実行可能な移動通信システムにおける第２基地局であって、
前記移動通信システムは、
ユーザ端末とＲＲＣ接続を確立する第１基地局と、
前記ユーザ端末に追加的な無線リソースを提供可能な前記第２基地局と、
前記第１基地局及び前記第２基地局にそれぞれ接続された前記ネットワーク装置と、を有し、
前記第２基地局は、制御部を備え、
前記制御部は、前記ネットワーク装置に、該第２基地局の運用状態を示す運用情報を送信する第１処理と、
前記運用情報を送信した後、前記ネットワーク装置から、第２基地局追加要求メッセージを取得する第２処理と、
前記第２基地局追加要求メッセージに対する肯定応答メッセージを、前記ネットワーク装置に送信する第３処理と、を実行する第２基地局。
【請求項１７】
前記運用情報は、前記第２基地局の負荷に関する情報、あるいは、前記第２基地局の運用モードを示す情報である前記請求項１６に記載の第２基地局。
【請求項１８】
前記第２基地局の負荷に関する情報は、前記第２基地局が収容可能であるユーザ端末の数、前記第２基地局に現在接続されているユーザ端末の数、前記第２基地局において使用されている無線リソースブロック数、及び前記第２基地局のハードウェアの負荷度合のうち、少なくとも一つの情報である前記請求項１６に記載の第２基地局。
【請求項１９】
前記第２基地局はホーム基地局であり、
前記第２基地局の運用モードを示す情報は、前記第２基地局の運用モードが、ハイブリッドモード、クローズドモード、及びオープンモードのうち、何れかのモードであるかを示す前記請求項１６に記載の第２基地局。
【発明の詳細な説明】
【技術分野】
【０００１】
本発明は、二重接続方式をサポートする移動通信システムにおけるネットワーク装置及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、二重接続方式（Ｄｕａｌ  ｃｏｎｎｅｃｔｉｖｉｔｙ）が導入されている（非特許文献１参照）。【０００３】
二重接続方式では、ユーザ端末は、複数のセルとの接続を同時に確立する。この場合、各セルは、それぞれ異なる基地局によって管理される。【０００４】
二重接続方式では、ユーザ端末との接続を確立する複数の基地局のうち、１つの基地局（以下、「マスタ基地局」という）のみが当該ユーザ端末とのＲＲＣ接続を確立する。これに対し、当該複数の基地局のうち他の基地局（以下、「セカンダリ基地局」という）は、ＲＲＣ接続をユーザ端末と確立せずに、追加的な無線リソースを当該ユーザ端末に提供する。
【先行技術文献】
【非特許文献】
【０００５】
【非特許文献１】３ＧＰＰ技術仕様書「ＴＳ３６．３００  ｖ１２．４．０」  ２０１４年１２月
【発明の概要】
【０００６】
一実施形態に係るネットワーク装置は、二重接続方式による通信を実行可能な移動通信システムにおいて用いられる。前記移動通信システムは、ユーザ端末とＲＲＣ接続を確立する第１基地局と、前記ユーザ端末に追加的な無線リソースを提供可能な第２基地局と、前記第１基地局及び前記第２基地局にそれぞれ接続された前記ネットワーク装置と、を有する。前記ネットワーク装置は、制御部を備える。前記制御部は、複数の前記第２基地局の運用状態を示す運用情報を収集する第１処理と、前記ユーザ端末が前記第１基地局に報告した前記第２基地局に関する無線品質の測定結果を前記第１基地局から取得する第２処理と、前記収集された運用情報及び前記取得された測定結果に基づいて、前記第１基地局から受け取った第２基地局追加要求メッセージの送り先となる前記第２基地局を決定する第３処理と、前記第３処理において決定された前記第２基地局に対して、前記第２基地局追加要求メッセージを送る第４処理と、前記第２基地局追加要求メッセージの送り先である前記第２基地局から、前記第２基地局追加要求メッセージに対する肯定応答メッセージを取得した場合には、当該肯定応答メッセージを前記第１基地局に送る第５処理と、を実行する。
【図面の簡単な説明】
【０００７】
【図１】第１実施形態に係るＬＴＥシステムの構成図である。
【図２】第１実施形態に係るＵＥのブロック図である。
【図３】第１実施形態に係るｅＮＢのブロック図である。
【図４】第１実施形態に係るＨｅＮＢのブロック図である。
【図５】第１実施形態に係るＸ２−ＧＷのブロック図である。
【図６】第１実施形態に係るプロトコルスタック図である。
【図７】二重接続方式の概要を説明するための図である。
【図８】第１実施形態に係る運用状況を示す概念図である。
【図９】第１実施形態に係る動作を説明するためのシーケンス図である。
【図１０】Ｒｅｓｏｕｒｃｅ  Ｓｔａｔｕｓ  Ｒｅｐｏｒｔｉｎｇ  ｉｎｉｔｉａｔｉｏｎプロシージャの第１の例を示す図である。
【図１１】Ｒｅｓｏｕｒｃｅ  Ｓｔａｔｕｓ  Ｒｅｐｏｒｔｉｎｇ  ｉｎｉｔｉａｔｉｏｎプロシージャの第２の例を示す図である。
【図１２】ＭｅＮＢの動作を説明するためのシーケンス図である。
【図１３】第２実施形態に係る動作を説明するためのシーケンス図である。
【図１４】第２実施形態に係る別の動作を説明するためのシーケンス図である。
【発明を実施するための形態】
【０００８】
［実施形態の概要］
ところで、二重接続方式では、ホーム基地局（Ｈｏｍｅ−ｅＮＢ）（以下、「ＨｅＮＢ」という）をセカンダリ基地局として使用することも想定し得る。しかし、セカンダリ基地局としてＨｅＮＢを用いる場合の二重接続方式の運用方法が未だ規定されていない。
【０００９】
このため、特に、ホーム基地局をセカンダリ基地局として追加する場合等におけるスムーズな処理が望まれている。
【００１０】
そこで、実施形態は、二重接続方式において、ホーム基地局をセカンダリ基地局として追加する場合等におけるスムーズな処理を実行可能とするネットワーク装置及び基地局を提供する。
【００１１】
実施形態に係るネットワーク装置は、二重接続方式による通信を実行可能な移動通信システムにおいて用いられる。前記移動通信システムは、ユーザ端末とＲＲＣ接続を確立する第１基地局と、前記ユーザ端末に追加的な無線リソースを提供可能な第２基地局と、前記第１基地局及び前記第２基地局にそれぞれ接続された前記ネットワーク装置と、を有する。前記ネットワーク装置は、制御部を備える。前記制御部は、複数の前記第２基地局の運用状態を示す運用情報を収集する第１処理と、前記ユーザ端末が前記第１基地局に報告した前記第２基地局に関する無線品質の測定結果を前記第１基地局から取得する第２処理と、前記収集された運用情報及び前記取得された測定結果に基づいて、前記第１基地局から受け取った第２基地局追加要求メッセージの送り先となる前記第２基地局を決定する第３処理と、前記第３処理において決定された前記第２基地局に対して、前記第２基地局追加要求メッセージを送る第４処理と、前記第２基地局追加要求メッセージの送り先である前記第２基地局から、前記第２基地局追加要求メッセージに対する肯定応答メッセージを取得した場合には、当該肯定応答メッセージを前記第１基地局に送る第５処理と、を実行する。
【００１２】
一実施形態において、前記制御部は、前記第１処理において複数の前記第２基地局の運用情報を収集できたならば、収集された前記運用情報に対応する前記第２基地局の各々について優先順位を設定し、優先順位の高い前記第２基地局から前記第３処理を実行する。
【００１３】
一実施形態において、前記制御部は、前記第２基地局から前記肯定応答メッセージを受け取るまで、前記優先順位に基づいて前記第３処理を続行する。なお、前記制御部は、前記肯定応答メッセージを受け取ったら前記第３処理を停止してもよい。
【００１４】
他の実施形態において、前記制御部は、前記第３処理において、前記第２基地局を複数決定した場合には、前記第４処理において、前記決定された複数の第２基地局に対して一斉に前記第２基地局追加要求メッセージを送る。前記制御部は、前記第５処理において、前記複数の第２基地局から、前記肯定応答メッセージをそれぞれ取得した場合には、前記収集された運用情報に基づいて、当該複数の第２基地局の中から、前記肯定応答メッセージを前記第１基地局に送る対象の前記第２基地局を選択する。前記制御部は、該選択された前記第２基地局についての前記肯定応答メッセージを前記第１基地局に送る。
【００１５】
一実施形態において、前記制御部は、前記第１処理において収集された前記第２基地局の運用情報を記憶し、且つ、前記運用情報を前記第１基地局へ送る処理を更に実行する。
【００１６】
一実施形態及び他の実施形態において、前記運用情報は、前記第２基地局の負荷に関する情報、あるいは、前記第２基地局の運用モードを示す情報である。
【００１７】
一実施形態及び他の実施形態において、前記第２基地局の負荷に関する情報は、前記第２基地局が収容可能であるユーザ端末の数、前記第２基地局に現在接続されているユーザ端末の数、前記第２基地局において使用されている無線リソースブロック数、及び前記第２基地局のハードウェアの負荷度合のうち、少なくとも一つの情報である。
【００１８】
一実施形態及び他の実施形態において、前記第２基地局はホーム基地局であり、前記第２基地局の運用モードを示す情報は、前記第２基地局の運用モードが、ハイブリッドモード、クローズドモード、及びオープンモードのうち、何れかのモードであるかを示す。
【００１９】
一実施形態に係る第１基地局は、二重接続方式による通信を実行可能な移動通信システムにおいて用いられる。前記移動通信システムは、ユーザ端末とＲＲＣ接続を確立する前記第１基地局と、前記ユーザ端末に追加的な無線リソースを提供可能な第２基地局と、前記第１基地局及び前記第２基地局にそれぞれ接続された前記ネットワーク装置と、を有する。前記第１基地局は、制御部を備える。前記制御部は、前記ユーザ端末から、前記第２基地局についての無線品質の測定結果を取得する第１処理と、前記第２基地局についての無線品質の測定結果を取得した場合には、前記ネットワーク装置に、前記測定結果を含む第２基地局追加要求メッセージを送信する第２処理と、前記ネットワーク装置から、前記第２基地局追加要求メッセージに対する前記第２基地局の肯定応答メッセージを受信する第３処理と、前記ユーザ端末に対して、前記肯定応答メッセージの送信元である前記第２基地局を用いた前記二重接続方式のための構成情報を送信する第４処理と、を実行する。
【００２０】
一実施形態に係る第１基地局の制御部は、前記ネットワーク装置を介して、複数の前記第２基地局の運用状態を示す運用情報を取得し、該取得された運用情報と前記測定結果に基づいて、前記第１基地局が第２基地局追加要求メッセージを送る場合における、該第２基地局追加要求メッセージの送り先となる前記第２基地局の優先順位を設定する。
【００２１】
他の実施形態に係る第１基地局の制御部は、前記ネットワーク装置を介して、複数の前記第２基地局の運用状態を示す運用情報を取得する。前記制御部は、該取得された運用情報と前記測定結果に基づいて、前記第２基地局追加要求メッセージを前記ネットワーク装置へ送信するか否かを判断する。前記制御部は、前記第２基地局要求メッセージを送信すると決めた場合に前記２処理を実行する。
【００２２】
一実施形態及び他の実施形態において、前記運用情報は、前記第２基地局の負荷に関する情報、あるいは、前記第２基地局の運用モードを示す情報である。
【００２３】
一実施形態及び他の実施形態において、前記第２基地局の負荷に関する情報は、前記第２基地局に現在接続されているユーザ端末の数、前記第２基地局が収容可能であるユーザ端末の数、前記第２基地局において使用されている無線リソースブロック数、及び前記第２基地局のハードウェアの負荷度合のうち、少なくとも一つの情報である。
【００２４】
一実施形態及び他の実施形態において、前記第２基地局はホーム基地局であり、前記第２基地局の運用モードを示す情報は、前記第２基地局の運用モードが、ハイブリッドモード、クローズドモード、及びオープンモードのうち、何れかのモードであるかを示す。
【００２５】
他の実施形態に係る第１基地局の制御部は、前記第１処理において、前記ユーザ端末から、ＣＳＧ（Ｃｌｏｓｅｄ  Ｓｕｂｓｃｒｉｂｅｒ  Ｇｒｏｕｐ）セル識別子を前記測定結果とともに取得し、前記第２処理において、前記ＣＳＧセル識別子が、前記ネットワーク装置から予め取得していたＣＳＧセル識別子リストに含まれているならば、前記第２基地局追加要求メッセージを、前記ネットワーク装置に送信する処理を実行する。
【００２６】
一実施形態に係る第２基地局は、二重接続方式による通信を実行可能な移動通信システムにおいて用いられる。前記移動通信システムは、ユーザ端末とＲＲＣ接続を確立する第１基地局と、前記ユーザ端末に追加的な無線リソースを提供可能な前記第２基地局と、前記第１基地局及び前記第２基地局にそれぞれ接続された前記ネットワーク装置と、を有する。前記第２基地局は、制御部を備える。前記制御部は、前記ネットワーク装置に、該第２基地局の運用状態を示す運用情報を送信する第１処理と、前記運用情報を送信した後、前記ネットワーク装置から、第２基地局追加要求メッセージを取得する第２処理と、前記第２基地局追加要求メッセージに対する肯定応答メッセージを、前記ネットワーク装置に送信する第３処理と、を実行する。
【００２７】
一実施形態において、前記運用情報は、前記第２基地局の負荷に関する情報、あるいは、前記第２基地局の運用モードを示す情報である。
【００２８】
一実施形態において、前記第２基地局の負荷に関する情報は、前記第２基地局が収容可能であるユーザ端末の数、前記第２基地局に現在接続されているユーザ端末の数、前記第２基地局において使用されている無線リソースブロック数、及び前記第２基地局のハードウェアの負荷度合のうち、少なくとも一つの情報である。
【００２９】
一実施形態において、前記第２基地局はホーム基地局であり、前記第２基地局の運用モードを示す情報は、前記第２基地局の運用モードが、ハイブリッドモード、クローズドモード、及びオープンモードのうち、何れかのモードであるかを示す。
【００３０】
［第１実施形態］  
以下において、本発明をＬＴＥシステムに適用する場合の実施形態を説明する。
【００３１】
（システム構成）  
図１は、第１実施形態に係るＬＴＥシステムの構成図である。図１に示すように、第１の実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３２】
ＵＥ１００は、ユーザ端末に相当する。ＵＥ１００は、移動型の通信装置であり、接続先のセル（サービングセル）との無線通信を行う。ＵＥ１００は、後述するＣＳＧセル／ハイブリッドセル／オープンセルとの無線通信を実行する機能を備える。ＵＥ１００の構成については後述する。
【００３３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）と、ＨｅＮＢ４００と、Ｘ２−ＧＷ５００と、ＨｅＮＢ−ＧＷ６００を含む。ＨｅＮＢ４００と、Ｘ２−ＧＷ５００の構成については後述する。
【００３４】
ｅＮＢ２００は、例えばマクロ基地局に相当する。マクロ基地局は、オペレータが設置する大規模な固定型無線通信装置である。本実施形態ではｅＮＢ２００をマクロ基地局（ＭｅＮＢ）として説明する。なお、ｅＮＢ２００は、マクロ基地局よりも小型のタイプであるマイクロ基地局やピコ基地局等であってもよい。ｅＮＢ２００は、Ｘ２インターフェイスを介して相互に接続される。また、ｅＮＢ２００は、Ｘ２インターフェイスを介して後述するＨｅＮＢ（Ｈｏｍｅ  ｅＮＢ）４００に接続される。ｅＮＢ２００の構成については後述する。
【００３５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３６】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００やＨｅＮＢ４００等と接続される。
【００３７】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部（コントローラ）に相当する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’（コントローラ）としてもよい。コントローラは、後述する各種の処理及び各種の通信プロトコルを実行する。
【００３８】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４０】
メモリ１５０は、プロセッサ１６０により実行されるプログラム、及びプロセッサ１６０による処理に使用される情報を記憶する。メモリ１５０は、ＵＥ１００が接続可能なＣＳＧ（Ｃｌｏｓｅｄ  Ｓｕｂｓｃｒｉｂｅｒ  Ｇｒｏｕｐ）セルを示すＣＳＧ−ＩＤのリスト（ホワイトリスト）を記憶する。
【００４１】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、更に、音声・映像信号の符号化・復号を行うコーデックを含んでもよい。プロセッサ１６０は、後述する各種の処理及び各種の通信プロトコルを実行する。
【００４２】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０（コントローラ）を備える。なお、メモリ２３０をプロセッサ２４０と一体化し、このセット（すなわち、チップセット）を、制御部を構成するプロセッサ２４０’（コントローラ）としてもよい。
【００４３】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４４】
ネットワークインターフェイス２２０は、Ｘ２インターフェイスを介して隣接ｅＮＢ２００やＨｅＮＢ４００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４５】
メモリ２３０は、プロセッサ２４０により実行されるプログラム、及びプロセッサ２４０による処理に使用される情報を記憶する。メモリ２３０は、後述するＸ２−ＧＷ５００から提供された情報を記憶する。
【００４６】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４７】
図４は、ＨｅＮＢ４００のブロック図である。ＨｅＮＢ４００は、半径数十メートルの狭い範囲に対して使用される小型基地局である。ＨｅＮＢ４００は、ＣＳＧセル、ハイブリッドセル、又はオープンセルを形成し得る。なお、例えば、ＣＳＧセルを管理するＨｅＮＢ４００は、クローズドモードのＨｅＮＢと称される。ハイブリッドセルを管理するＨｅＮＢ４００は、ハイブリッドモードのＨｅＮＢと称される。オープンセルを管理するＨｅＮＢ４００は、オープンモードのＨｅＮＢと称される。
【００４８】
ＨｅＮＢ４００は、屋内に設置可能な小規模な固定型無線通信装置である。ＨｅＮＢ４００は、ｅＮＢ２００よりもカバー範囲が狭い特定セルを形成する。特定セルは、設定されるアクセスモードに応じて、「ＣＳＧ（Ｃｌｏｓｅｄ  Ｓｕｂｓｃｒｉｂｅｒ  Ｇｒｏｕｐ）セル」、「ハイブリッドセル」、又は「オープンセル」と称される。
【００４９】
ＣＳＧセルは、アクセス権を有するＵＥ１００（「メンバーＵＥ」と称される）のみがアクセス可能なセルであり、ＣＳＧ−ＩＤをブロードキャストする。ＵＥ１００は、自身がアクセス権を有するＣＳＧ−ＩＤのリスト（「ホワイトリスト」と称される）をメモリ１５０に保持しており、当該ホワイトリストと、ＣＳＧセルがブロードキャストするＣＳＧ−ＩＤと、に基づいて、アクセス権の有無を判断する。
【００５０】
ハイブリッドセルは、メンバーＵＥが非メンバーＵＥよりも有利に取り扱われるセルであり、ＣＳＧ−ＩＤに加えて、非メンバーＵＥにも解放されたセルであることを示す情報をブロードキャストする。ＵＥ１００は、ホワイトリストと、ハイブリッドセルがブロードキャストするＣＳＧ−ＩＤと、に基づいて、アクセス権の有無を判断する。ハイブリッドセルを管理するＨｅＮＢ４００は、ハイブリッドモードのＨｅＮＢと称され得る。
【００５１】
オープンセルは、メンバーであるか否かを問わずＵＥ１００が同等に取り扱われるセルであり、ＣＳＧ−ＩＤをブロードキャストしない。ＵＥ１００の視点では、オープンセルはマクロセルと同等である。
【００５２】
図４に示すように、ＨｅＮＢ４００は、アンテナ４０１、無線送受信機４１０、ネットワークインターフェイス４２０、メモリ４３０、及びプロセッサ４４０（コントローラ）を備える。なお、メモリ４３０をプロセッサ４４０と一体化し、このセット（すなわち、チップセット）を、制御部を構成するプロセッサ４４０’（コントローラ）としてもよい。
【００５３】
アンテナ４０１及び無線送受信機４１０（無線送受信部）は、無線信号の送受信に用いられる。無線送受信機４１０は、プロセッサ４４０が出力するベースバンド信号（送信信号）を無線信号に変換してアンテナ４０１から送信する。また、無線送受信機４１０は、アンテナ４０１が受信する無線信号をベースバンド信号（受信信号）に変換してプロセッサ４４０に出力する。無線送受信部は、ＣＳＧセル、ハイブリッドセル、又はオープンセルを形成する。
【００５４】
ネットワークインターフェイス４２０は、ＨｅＮＢ−ＧＷ６００を経由するＳ１インターフェイスをＭＭＥ／Ｓ−ＧＷ３００との間に確立している場合には、ＨｅＮＢ−ＧＷ６００を介してＭＭＥ３００との通信を行う。これに対し、ネットワーク通信部４２０は、ＨｅＮＢ−ＧＷ６００を経由しないＳ５インターフェイスをＭＭＥ３００との間に確立している場合には、ＭＭＥ３００と直接的に通信を行う。
【００５５】
ネットワークインターフェイス４２０は、Ｘ２インターフェイスを介してｅＮＢ２００との通信を行う。また、ネットワークインターフェイス４２０は、Ｘ２インターフェイスを介してＸ２−ＧＷ５００との通信を行う。
【００５６】
メモリ４３０は、プロセッサ４４０により実行されるプログラム、及びプロセッサ４４０による処理に使用される情報を記憶する。
【００５７】
プロセッサ４４０は、ベースバンド信号の変調・復調及び符号化・復号などを行うベースバンドプロセッサと、メモリ４３０に記憶されるプログラムを実行して各種の処理を行うＣＰＵと、を含む。プロセッサ４４０は、後述する各種の処理及び各種の通信プロトコルを実行する。
【００５８】
ＨｅＮＢ４００は、一つのＸ２−ＧＷ５００にのみ接続し得る。ＨｅＮＢ４００は、例えば、自ＨｅＮＢが接続するＸ２−ＧＷ５００のＩＰアドレスについての情報を事前に設定される。
【００５９】
図５は、Ｘ２−ＧＷ５００のブロック図である。Ｘ２−ＧＷ５００は、Ｘ２  Ｐｒｏｘｙ  ｓｅｒｖｅｒの機能を備える。図５に示すように、Ｘ２−ＧＷ５００は、ネットワークインターフェイス５１０、メモリ５２０、及びプロセッサ５３０（コントローラ）を備える。なお、メモリ５２０をプロセッサ５３０と一体化し、このセット（すなわち、チップセット）を、制御部を構成するプロセッサ５３０’（コントローラ）としてもよい。
【００６０】
ネットワークインターフェイス５１０は、Ｘ２インターフェイスを介してｅＮＢ２００やＨｅＮＢ４００との通信を行う。
【００６１】
メモリ５２０は、プロセッサ５３０による制御に使用される各種情報を記憶する。メモリ５２０には、Ｘ２−ＧＷ５００の管理下にあるｅＮＢ２００／ＨｅＮＢ４００が登録されている。メモリ５２０は、後述するＨｅＮＢ４００から提供された該ＨｅＮＢ４００の運用情報を記憶する。メモリ５２０は、更に、後述するｅＮＢ２００から提供された情報を記憶する。ｅＮＢ２００から提供された情報は、ＵＥ１００からｅＮＢ２００に提供されたＭｅａｓｕｒｅｍｅｎｔ  ｒｅｐｏｒｔの内容に対応する。
【００６２】
プロセッサ５３０は、Ｘ２−ＧＷ５００の各種機能を制御する。プロセッサ５３０は、後述する各種処理及び各種の通信プロトコルを実行する。
【００６３】
Ｘ２−ＧＷ５００は、Ｘ２ＡＰメッセージ転送手続きを除いてＸ２ＡＰ手続きを終端しないが、Ｘ２解放手順とＸ２エラー表示手順を開始する。なお、Ｘ２−ＧＷ５００は、後述するＨｅＮＢ４００の運用情報を収集する場合、後述する図１１に示した例のように、Ｒｅｓｏｕｒｃｅ  Ｓｔａｔｕｓ  Ｒｅｑｕｅｓｔメッセージの送信を開始し得ると定義されてもよい。その他、Ｘ２−ＧＷ５００は、自装置が終端しないその他の処理を実行するように構成されてもよい。
【００６４】
図６は、ＬＴＥシステムにおける無線インターフェイスのプロトコルスタック図である。図６に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００６５】
物理層は、符号化・復号、変調・復調、アンテナマッピング・デマッピング、及びリソースマッピング・デマッピングを行う。ＵＥ１００の物理層とｅＮＢ２００（ＨｅＮＢ４００）の物理層との間では、物理チャネルを介してユーザデータ及び制御信号が伝送される。
【００６６】
ＭＡＣ層は、データの優先制御、及びハイブリッドＡＲＱ（ＨＡＲＱ）による再送処理などを行う。ＵＥ１００のＭＡＣ層とｅＮＢ２００（ＨｅＮＢ４００）のＭＡＣ層との間では、トランスポートチャネルを介してユーザデータ及び制御信号が伝送される。ｅＮＢ２００（ＨｅＮＢ４００）のＭＡＣ層は、上下リンクのトランスポートフォーマット（トランスポートブロックサイズ、変調・符号化方式）、ＵＥ１００への割当リソースブロックを決定（スケジューリング）するケジューラを含む。
【００６７】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００６８】
ＰＤＣＰ層は、ヘッダ圧縮・伸張、及び暗号化・復号化を行う。
【００６９】
ＲＲＣ層は、制御信号を取り扱う制御プレーンでのみ定義される。ＵＥ１００のＲＲＣ層とｅＮＢ２００（ＨｅＮＢ）のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００７０】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００７１】
ＵＥ１００において、物理層乃至ＲＲＣ層は、ＡＳ（Ａｃｃｅｓｓ  Ｓｔｒａｔｕｍ）エンティティ１００Ａを構成する。ＮＡＳ層は、ＮＡＳエンティティ１００Ｂを構成する。ＡＳエンティティ１００Ａ及びＮＡＳエンティティ１００Ｂの機能はプロセッサ１６０（制御部）により実行される。すなわち、プロセッサ１６０（制御部）は、ＡＳエンティティ１００Ａ及びＮＡＳエンティティ１００Ｂを含む。アイドルモードにおいて、ＡＳエンティティ１００Ａはセル選択／再選択を行い、ＮＡＳエンティティ１００ＢはＰＬＭＮ選択を行う。
【００７２】
（二重接続方式）  
実施形態に係るＬＴＥシステムは、二重接続方式をサポートする。二重接続方式では、ＵＥ１００は、複数のｅＮＢ２００との接続を同時に確立する。なお、前記複数のｅＮＢ２００のうちの一部がＨｅＮＢ４００であってもよい。ＵＥ１００には、各ｅＮＢ２００（ＨｅＮＢ４００）から無線リソースが割り当てられるため、スループットの向上が見込まれる。なお、二重接続方式は、ｅＮＢ間キャリアアグリゲーション（ｉｎｔｅｒ−ｅＮＢ  ＣＡ）と称されることもある。
【００７３】
図７は、二重接続方式の概要を説明するための図である。図７に示すように、二重接続方式では、ＵＥ１００との接続を確立する複数のｅＮＢ２００のうち、マスタｅＮＢ（ＭｅＮＢ）２００Ｍのみが当該ＵＥ１００とのＲＲＣ接続を確立する。これに対し、当該複数のｅＮＢ２００のうちセカンダリｅＮＢ（ＳｅＮＢ）２００Ｓ（４００Ｓ）は、ＲＲＣ接続をＵＥ１００と確立せずに、追加的な無線リソースをＵＥ１００に提供する。言い換えると、ＭｅＮＢ２００Ｍは、ユーザプレーン接続だけでなく制御プレーン接続をＵＥ１００と確立する。これに対し、ＳｅＮＢ２００Ｓ（４００Ｓ）は、制御プレーン接続をＵＥ１００と確立せずに、ユーザプレーン接続をＵＥ１００と確立する。ＭｅＮＢ２００ＭとＳｅＮＢ２００Ｓ（４００Ｓ）との間にはＸｎインターフェイスが設定される。Ｘｎインターフェイスは、Ｘ２インターフェイス又は新たなインターフェイスである。
【００７４】
二重接続方式では、ＵＥ１００は、ＭｅＮＢ２００Ｍが管理するＮ個のセル及びＳｅＮＢ２００Ｓ（４００Ｓ）が管理するＭ個のセルを同時に利用したキャリアアグリゲーションが可能である。二重接続方式においてＵＥ１００のサービングセルの最大数、すなわち、（Ｎ＋Ｍ）の最大数は、例えば５である。ここで、ＭｅＮＢ２００Ｍが管理するＮ個のセルからなるグループは、マスタセルグループ（ＭＣＧ）と称される。また、ＳｅＮＢ２００Ｓ（４００Ｓ）が管理するＭ個のセルからなるグループは、セカンダリセルグループ（ＳＣＧ）と称される。ＳＣＧには、ＵＥ１００のＰＵＣＣＨを設ける特別なセルが設定される。特別なセルは、キャリアアグリゲーションにおけるプライマリセル（ＰＣｅｌｌ）の機能の一部を遂行する。
【００７５】
二重接続方式では、ＨｅＮＢ４００もＳｅＮＢの機能を有することができる。この場合、図８に示すように、ＨｅＮＢ４００（図８の例では、ＨｅＮＢ４００−１とＨｅＮＢ４００−２が対応する）は、Ｘ２−ＧＷ５００を介してｅＮＢ２００（図８の例では、ｅＮＢ２００−１が対応する）に接続されることが想定される。なお、図８以降の説明においては、説明の便宜上、２つのＨｅＮＢ４００（ＨｅＮＢ４００−１とＨｅＮＢ４００−２）を挙げて説明しているが、これに限定されるものではない。ＵＥ１００が接続可能なＨｅＮＢ４００が２以上あるならば２以上であってよい。以降、説明の便宜上、２以上のＨｅＮＢ４００を、単に２つのＨｅＮＢ４００（ＨｅＮＢ４００−１とＨｅＮＢ４００−２）として説明する。
【００７６】
ＨｅＮＢ４００が収容できるＵＥ１００の許容数は、例えば２〜５である。なお、ＨｅＮＢ４００がＳｅＮＢの候補として規定されるならば、その収容許容数は、５よりも多い数が規定されてもよい。なお、ＨｅＮＢ４００における各モードのＵＥ１００の許容数の関係は、例えば、次のようになる。  
【００７７】
・オープンモードの収容許容数＞ハイブリッドモードの収容許容数＞クローズドモードの収容許容数
ｅＮＢ２００がＨｅＮＢ４００をＳｅＮＢの候補として選択した場合には、次の事態が想定される。ｅＮＢ２００は、選択されたＨｅＮＢ４００に向けて、ＳｅＮＢ  Ａｄｄｉｔｉｏｎ要求メッセージを送ると、ＳｅＮＢ  Ａｄｄｉｔｉｏｎ要求メッセージを受け取ったＨｅＮＢ４００において、上述した通り、収容可能ＵＥ数が他のセル（例えば、マクロセル，マイクロセル，ピコセル等）よりも少ないという特性上、負荷が高くなっている可能性が高い。ＨｅＮＢ４００において負荷が高くなっている場合とは、選択されたＨｅＮＢ４００において収容されている端末数が所定数になっている場合等である。ＨｅＮＢ４００は、自装置における負荷が高い場合には、ＳｅＮＢ  Ａｄｄｉｔｉｏｎを拒否する旨のメッセージ（ＳｅＮＢ  Ａｄｄｉｔｉｏｎ  Ｒｅｊｅｃｔメッセージ）をｅＮＢ２００に送るだろう。つまり、ＨｅＮＢ４００がＳｅＮＢの候補として選択されるシナリオでは、ＳｅＮＢ  Ａｄｄｉｔｉｏｎプロシージャが失敗する確率が高くなるという事態が想定される。以下、このような事態に対応するための処理や構成について説明する。
【００７８】
（ＳｅＮＢ  Ａｄｄｉｔｉｏｎ処理）  
図９乃至図１２に基づいて、第１実施形態に係る動作を説明する。図９乃至図１２は、Ｘ２−ＧＷ５００が、複数のＨｅＮＢ（ＨｅＮＢ４００−１／ＨｅＮＢ４００−２）についての運用状態を示す運用情報と、ＵＥ１００からｅＮＢ２００に報告された複数のＨｅＮＢ（ＨｅＮＢ４００−１／ＨｅＮＢ４００−２）に関する下り方向の無線品質の測定結果と、に基づいて、ｅＮＢ２００から受け取ったＳｅＮＢ  Ａｄｄｉｔｉｏｎ要求メッセージの送り先となるＨｅＮＢを決定する処理を示す。なお、図９において、ＵＥ１００とＭｅＮＢ２００−１はＲＲＣ接続状態である。
【００７９】
図９において、Ｘ２−ＧＷ５００は、Ｒｅｓｏｕｒｃｅ  Ｓｔａｔｕｓ  Ｒｅｐｏｒｔｉｎｇ  Ｉｎｉｔｉａｔｉｏｎ  ｐｒｏｃｅｄｕｒｅにて、ＨｅＮＢ４００−１／ＨｅＮＢ４００−２における運用状態を示すＨｅＮＢ運用情報を収集する（ステップＳ１０１）。ステップＳ１０１の詳細を図１０及び図１１に示す。図１０に示す例（Ｓ１０１−０１）は、ＭｅＮＢ２００−１（この場合の「Ｍ」は「マクロ」に対応する。）がＨｅＮＢ運用情報の収集処理の起点となる例である。図１１に示す例（Ｓ１０１−０２）は、Ｘ２−ＧＷ５００がＨｅＮＢ運用情報の収集処理の起点となる例である。
【００８０】
図１０に示す例において、ＭｅＮＢ２００−１は、事前にＵＥ１００のためのＣＳＧ−ＩＤのリスト（ホワイトリスト）をネットワーク装置（ＭＭＥ等）から提供されて記憶しているものとする。ＭｅＮＢ２００−１は、所定のタイミングで、Ｘ２−ＧＷ５００にＲｅｓｏｕｒｃｅ  Ｓｔａｔｕｓ要求メッセージを送る（ステップＳ１０）。この場合、ＭｅＮＢ２００−１は、ホワイトリストに示されたＣＳＧ−ＩＤを示すＣＳＧ−ＩＤ識別情報（ＣＳＧ−ＩＤ  ＩＥ）をＲｅｓｏｕｒｃｅ  Ｓｔａｔｕｓ要求メッセージに含めて送信する。
【００８１】
Ｘ２−ＧＷ５００は、Ｒｅｓｏｕｒｃｅ  Ｓｔａｔｕｓ要求メッセージを取得すると、Ｒｅｓｏｕｒｃｅ  Ｓｔａｔｕｓ要求メッセージに含まれていたＣＳＧ−ＩＤ識別情報に基づいて、Ｒｅｓｏｕｒｃｅ  Ｓｔａｔｕｓ要求メッセージの送り先であるＨｅＮＢ４００を特定する。図１０の例では、ＨｅＮＢ４００−１及びＨｅＮＢ４００−２が特定されたものとする。Ｘ２−ＧＷ５００は、特定されたＨｅＮＢ４００−１及びＨｅＮＢ４００−２に対して、ステップＳ１０で取得されたＲｅｓｏｕｒｃｅ  Ｓｔａｔｕｓ要求メッセージを送る（ステップＳ１１）。
【００８２】
Ｒｅｓｏｕｒｃｅ  Ｓｔａｔｕｓ要求メッセージを取得したＨｅＮＢ４００−１及びＨｅＮＢ４００−２は、それぞれ、ＨｅＮＢ運用情報を含んだＲｅｓｏｕｒｃｅ  Ｓｔａｔｕｓ応答メッセージをＸ２−ＧＷ５００に送る（ステップＳ１２）。Ｒｅｓｏｕｒｃｅ  Ｓｔａｔｕｓ応答メッセージは、該メッセージの送り元であるＨｅＮＢを特定するための識別情報（セルＩＤ等）を含む。ＨｅＮＢ運用情報は、ＨｅＮＢ４００−１（ＨｅＮＢ４００−２）の負荷に関する情報（第１の運用情報）、及び運用モードを示す情報（第２の運用情報）である。まず、第１の運用情報は、ＨｅＮＢ４００−１（ＨｅＮＢ４００−２）に現在接続されているユーザ端末の数、ＨｅＮＢ４００−１（ＨｅＮＢ４００−２）が収容可能であるユーザ端末の数、ＨｅＮＢ４００−１（ＨｅＮＢ４００−２）において使用されている無線リソースブロック数、及びＨｅＮＢ４００−１（ＨｅＮＢ４００−２）のハードウェアの負荷度合のうち、少なくとも一つの情報である。第２の運用情報は、ＨｅＮＢ４００−１（ＨｅＮＢ４００−２）の運用モードが、ハイブリッドモード、クローズドモード、及びオープンモードのうち、何れかのモードであるかを示す。なお、第２の運用情報は、ＨｅＮＢ４００−１（ＨｅＮＢ４００−２）が運用管理するセルが、ＣＳＧセル、ハイブリッドセル、及びオープンセルのうち、何れかのセルであるかを示してもよい。
【００８３】
Ｘ２−ＧＷ５００は、ＨｅＮＢ４００−１から提供された第１の運用情報及び第２の運用情報と、ＨｅＮＢ４００−２から提供された第１の運用情報と第２の運用情報とを記憶する（ステップＳ１３）。
【００８４】
Ｘ２−ＧＷ５００は、ＨｅＮＢ４００−１からの第１の運用情報、第２の運用情報及びＨｅＮＢ４００−１の識別情報を構成したＨｅＮＢ４００−１用の情報と、ＨｅＮＢ４００−２からの第１の運用情報、第２の運用情報及びＨｅＮＢ４００−２の識別情報を構成したＨｅＮＢ４００−２用の情報と、を含んだＲｅｓｏｕｒｃｅ  Ｓｔａｔｕｓ応答メッセージを生成し、ＭｅＮＢ２００−１に送信する（ステップＳ１４）。これにより、Ｘ２−ＧＷ５００は、ＨｅＮＢ４００−１とＨｅＮＢ４００−２からそれぞれ収集した各運用情報等を、一つのＲｅｓｏｕｒｃｅ  Ｓｔａｔｕｓ応答メッセージに含めてＭｅＮＢ２００−１に送るので、Ｘ２−ＧＷ５００からＭｅＮＢ２００−１への送信処理を簡略化できる。このことは、迅速な処理の実現に貢献する。なお、Ｘ２−ＧＷ５００は、このような送信方法（第１方法）に代えて、ＨｅＮＢ４００−１からの第１の運用情報及び第２の運用情報を含むＲｅｓｏｕｒｃｅ  Ｓｔａｔｕｓ応答メッセージ（ＨｅＮＢ４００−１の識別情報を含む）と、ＨｅＮＢ４００−２からの第１の運用情報及び第２の運用情報を含むＲｅｓｏｕｒｃｅ  Ｓｔａｔｕｓ応答メッセージ（ＨｅＮＢ４００−２の識別情報を含む）とを、個別にＭｅＮＢ２００−１に送信する第２の方法を適用してもよい。この場合、ＨｅＮＢ−ＧＷ５００は、上述した２つの方法を、自Ｘ２−ＧＷ５００における動作状況に応じて適宜切り替えて運用するようにしてもよい。
【００８５】
ＭｅＮＢ２００−１は、Ｘ２−ＧＷ５００から提供された、ＨｅＮＢ４００−１のＨｅＮＢ運用情報と、ＨｅＮＢ４００−２のＨｅＮＢ運用情報とを、それぞれ、各ＨｅＮＢ４００の識別情報と対応付けて記憶する（ステップＳ１５）。ＭｅＮＢ２００−１は、ＨｅＮＢ４００−１とＨｅＮＢ４００−２の各ＨｅＮＢ運用情報と、ＨｅＮＢ４００−１及びＨｅＮＢ４００−２に関する無線品質の測定結果に基づいて、少なくともＨｅＮＢ４００−１及びＨｅＮＢ４００−２を含む複数のｅＮＢについて優先順位を設定する。優先順位は、ＭｅＮＢ２００−１が、ＳｅＮＢ  Ａｄｄｉｔｉｏｎ要求メッセージを送る場合における、該ＳｅＮＢ  Ａｄｄｉｔｉｏｎ要求メッセージの送り先の順番に対応する。なお、ＨｅＮＢ４００−１及びＨｅＮＢ４００−２に関する無線品質の測定結果については後述する。
【００８６】
図１１に示す例において、Ｘ２−ＧＷ５００は、事前にＵＥ１００のためのＣＳＧ−ＩＤのリスト（ホワイトリスト）をネットワーク装置（ＭＭＥ等）から提供されて記憶しているものとする。Ｘ２−ＧＷ５００は、所定のタイミングで、Ｒｅｓｏｕｒｃｅ  Ｓｔａｔｕｓ要求メッセージをホワイトリストに記憶されていたＣＳＧ−ＩＤに対応するＨｅＮＢ４００（図１１の例ではＨｅＮＢ４００−１、ＨｅＮＢ４００−２とする）に対して送る（ステップＳ２０）。
【００８７】
Ｒｅｓｏｕｒｃｅ  Ｓｔａｔｕｓ要求メッセージを取得したＨｅＮＢ４００−１及びＨｅＮＢ４００−２は、それぞれ、ＨｅＮＢ運用情報を含んだＲｅｓｏｕｒｃｅ  Ｓｔａｔｕｓ応答メッセージをＸ２−ＧＷ５００に送る（ステップＳ２１）。Ｒｅｓｏｕｒｃｅ  Ｓｔａｔｕｓ応答メッセージは、該メッセージの送り元であるＨｅＮＢを特定するための識別情報（セルＩＤ等）を含む。ＨｅＮＢ運用情報は、前述した第１の運用情報及び第２の運用情報である。
【００８８】
Ｘ２−ＧＷ５００は、ＨｅＮＢ４００−１から提供された第１の運用情報及び第２の運用情報と、ＨｅＮＢ４００−２から提供された第１の運用情報及び第２の運用情報とを記憶する（ステップＳ２２）。
【００８９】
Ｘ２−ＧＷ５００は、ＨｅＮＢ４００−１からの第１の運用情報、第２の運用情報及びＨｅＮＢ４００−１の識別情報を構成したＨｅＮＢ４００−１用の情報と、ＨｅＮＢ４００−２からの第１の運用情報、第２の運用情報及びＨｅＮＢ４００−２の識別情報を構成したＨｅＮＢ４００−２用の情報と、を含んだＲｅｓｏｕｒｃｅ  Ｓｔａｔｕｓ  Ｉｎｆｏｒｍａｔｉｏｎメッセージを生成し、ＭｅＮＢ２００−１に送信する（ステップＳ２３）。なお、Ｘ２−ＧＷ５００は、このような送信方法（第１の方法）に代えて、ＨｅＮＢ４００−１からの第１の運用情報及び第２の運用情報を含むＲｅｓｏｕｒｃｅ  Ｓｔａｔｕｓ応答メッセージ（ＨｅＮＢ４００−１の識別情報を含む）と、ＨｅＮＢ４００−２からの第１の運用情報及び第２の運用情報を含むＲｅｓｏｕｒｃｅ  Ｓｔａｔｕｓ応答メッセージ（ＨｅＮＢ４００−２の識別情報を含む）とを、それぞれ、Ｒｅｓｏｕｒｃｅ  Ｓｔａｔｕｓ  Ｉｎｆｏｒｍａｔｉｏｎメッセージに置き換えた上でＭｅＮＢ２００−１に送信する第２の方法を適用してもよい。この場合、ＨｅＮＢ−ＧＷ５００は、上述した２つの方法を、自Ｘ２−ＧＷ５００における動作状況に応じて適宜切り替えて運用するようにしてもよい。
【００９０】
ＭｅＮＢ２００−１は、Ｘ２−ＧＷ５００から提供された、ＨｅＮＢ４００−１のＨｅＮＢ運用情報と、ＨｅＮＢ４００−２のＨｅＮＢ運用情報とを、それぞれ、各ＨｅＮＢ４００の識別情報と対応付けて記憶する（ステップＳ２４）。ＭｅＮＢ２００−１は、図１０に示した例と同様、ＨｅＮＢ４００−１のＨｅＮＢ運用情報／ＨｅＮＢ４００−２のＨｅＮＢ運用情報と、ＨｅＮＢ４００−１及びＨｅＮＢ４００−２に関する無線品質の測定結果に基づいて、少なくともＨｅＮＢ４００−１及びＨｅＮＢ４００−２を含む複数のｅＮＢについて優先順位を設定する。
【００９１】
次に、図９に示す動作説明を再開する。図９において、Ｘ２−ＧＷ５００は、ステップＳ１０１の後、所定のタイミングでＨｅＮＢ４００−１及びＨｅＮＢ４００−２から、それぞれ、上述したＨｅＮＢ運用情報（更新された第１の運用情報）を含むＲｅｓｏｕｒｃｅ  Ｓｔａｔｕｓ  Ｕｐｄａｔｅメッセージを取得できたならば（ステップＳ１０２）、該Ｒｅｓｏｕｒｃｅ  Ｓｔａｔｕｓ  Ｕｐｄａｔｅメッセージに含まれたＨｅＮＢ運用情報（更新された第１の運用情報）を、先のステップＳ１０１の段階で記憶されていた第１の運用情報に上書きして記憶する。更に、Ｘ２−ＧＷ５００は、ステップＳ１０２において取得されたＨｅＮＢ４００−１のＨｅＮＢ運用情報とＨｅＮＢ４００−２のＨｅＮＢ運用情報とを含んだＲｅｓｏｕｒｃｅ  Ｓｔａｔｕｓ  ＵｐｄａｔｅメッセージをＭｅＮＢ２００−１に送信する（ステップＳ１０３）。なお、図９では、Ｘ２−ＧＷ５００から送信されるＲｅｓｏｕｒｃｅ  Ｓｔａｔｕｓ  Ｕｐｄａｔｅメッセージは一つのメッセージとして記載しているが、ＨｅＮＢ４００−１からのＲｅｓｏｕｒｃｅ  Ｓｔａｔｕｓ  Ｕｐｄａｔｅメッセージと、ＨｅＮＢ４００−２からのＲｅｓｏｕｒｃｅ  Ｓｔａｔｕｓ  ＵｐｄａｔｅメッセージをそれぞれＭｅＮＢ２００−１に送信してもよい。
【００９２】
ステップＳ１０３においてＸ２−ＧＷ５００からＭｅＮＢ２００−１に提供されたＨｅＮＢ４００−１及びＨｅＮＢ４００−２の各ＨｅＮＢ運用情報（更新された第１の運用情報）は、ＭｅＮＢ２００−１において上書きされて記憶される。上書きされたＨｅＮＢ４００−１及びＨｅＮＢ４００−２の各ＨｅＮＢ運用情報は、その後、ＭｅＮＢ２００−１における上述した優先順位の設定において利用される。
【００９３】
ステップＳ１０１〜ステップＳ１０３の処理（バックホール側での処理）とは独立して、ＵＥ１００はステップＳ１０４を実行する。ここで、ＵＥ１００は、予め、ＣＳＧに関するホワイトリスト（ＣＳＧ−ＩＤリスト）をメモリ１５０に記憶しているものとする。ステップＳ１０４は、ＵＥ１００がＳｅＮＢ候補となる候補セル（図９の例では、ＨｅＮＢ４００−１とＨｅＮＢ４００−２を含む）からの同期信号を検出する処理である。候補セルは、ＣＳＧセル、ハイブリッドセル、及びオープンセルのうち、少なくとも何れか一つのセルである。なお、候補セルは、通信システムの運用ポリシーに従って設定されてよい。まず、ＵＥ１００は、同期信号を受信すると、受信された同期信号（プライマリー同期信号及びセカンダリ同期信号）からＰＣＩを特定する。ＵＥ１００は、この段階で、同期信号の送り元のセルが、ＣＳＧセルかハイブリッドセルかオープンセルかを理解していない。次に、ＵＥ１００は、ＰＢＣＨ（Ｐｈｙｓｉｃａｌ  Ｂｒｏａｄｃａｓｔ  Ｃｈａｎｎｅｌ）を受信し、ＰＢＣＨに含まれるＭＩＢ（Ｍａｓｔｅｒ  Ｉｎｆｏｒｍａｔｉｏｎ  Ｂｌｏｃｋ）を取得する。その後、ＵＥ１００は、候補セルからＰＤＳＣＨ（Ｐｈｙｓｉｃａｌ  Ｂｒｏａｄｃａｓｔ  Ｃｈａｎｎｅｌ）によって報知された、Ｓｙｓｔｅｍ情報（Ｓｙｓｔｅｍ  Ｉｎｆｏｒｍａｔｉｏｎ  Ｂｌｏｃｋ  Ｔｙｐｅ  １）を取得する（ステップＳ１０５）。図９の例では、ＵＥ１００が、ＨｅＮＢ４００−１及びＨｅＮＢ４００−２からＳｙｓｔｅｍ情報を取得するものとする。
【００９４】
ＵＥ１００は、ステップＳ１０５において、ＨｅＮＢ４００−１／ＨｅＮＢ４００−２から、Ｓｙｓｔｅｍ情報を取得すると、Ｓｙｓｔｅｍ情報に含まれた所定の情報から、ＨｅＮＢ４００−１／ＨｅＮＢ４００−２の管理するセル（候補セル）が、ＣＳＧセルかハイブリッドセルかオープンセルかを理解する。所定の情報は、ＣＧＩ（Ｃｅｌｌ  Ｇｌｏｂａｌ  Ｉｄｅｎｔｉｔｙ）と、ＴＡＩ（Ｔｒａｃｋｉｎｇ  Ａｒｅａ  Ｉｄｅｎｔｉｔｙ）と、ＣＳＧ−ＩＤ（ＨｅＮＢ４００−１からはＨｅＮＢ４００−１を示すＣＳＧ−ＩＤ／ＨｅＮＢ４００−２からはＨｅＮＢ４００−２を示すＣＳＧ−ＩＤ）等を含む。なお、ＣＧＩは、全世界でセルを一意に識別するための識別子である。ＴＡＩは、ＵＥが位置登録を行うエリア単位を示し、１つ以上のセルで構成される。ＵＥ１００は、Ｓｙｓｔｅｍ情報にＣＳＧ−ＩＤが含まれていれば、ＨｅＮＢ４００−１／ＨｅＮＢ４００−２の管理するセルが、少なくともＣＳＧセル又はハイブリッドセルであると理解する。なお、ＵＥ１００は、Ｓｙｓｔｅｍ情報に、ＣＳＧ−ＩＤとともに、ＣＳＧに属さないユーザにも開放されたセルであることを示す情報（１ビット情報）が含まれていれば、ＨｅＮＢ４００−１／ＨｅＮＢ４００−２の管理するセルがハイブリッドセルであると理解する。また、ＵＥ１００は、Ｓｙｓｔｅｍ情報にＣＳＧ−ＩＤが含まれていても、ＣＳＧに属さないユーザにも開放されたセルであることを示す情報が含まれていなければ、ＨｅＮＢ４００−１／ＨｅＮＢ４００−２の管理するセルがＣＳＧセルであると理解する。ＵＥ１００は、Ｓｙｓｔｅｍ情報にＣＳＧ−ＩＤが含まれていなければ、ＨｅＮＢ４００−１／ＨｅＮＢ４００−２の管理するセルがオープンセルであると理解する。図９の例では、候補セルがＣＧＳセル及び／又はハイブリッドセルであるとして説明する。なお、候補セルがオープンセルの場合には、以降に説明するＣＳＧ−ＩＤに関連した情報を除いた情報に基づいて所定の処理が実行される。
【００９５】
ＵＥ１００は、ＨｅＮＢ４００−１／ＨｅＮＢ４００−２から、Ｓｙｓｔｅｍ情報を取得した後、例えば、ハンドオーバ処理時に適用される所定の条件が満たされたことを契機として、ＨｅＮＢ４００−１とＨｅＮＢ４００−２に関する無線品質（例えば、ＲＳＲＰ等）の測定を開始する。ＵＥ１００は、少なくともＨｅＮＢ４００−１とＨｅＮＢ４００−２に関する無線品質を測定できたならば、その測定結果をＭｅＮＢ２００−１に報告するために、メジャーメントレポートを作成する。
【００９６】
メジャーメントレポートは、ＨｅＮＢ４００−１／ＨｅＮＢ４００−２から取得したＣＧＩ、ＴＡＩ、ＨｅＮＢ４００−１／ＨｅＮＢ４００−２に関するＣＳＧ−ＩＤ、ＨｅＮＢ４００−１／ＨｅＮＢ４００−２に関するＣＳＧメンバーステータス、及びＨｅＮＢ４００−１／ＨｅＮＢ４００−２についての無線品質の測定結果を含む。ＣＳＧメンバーステータスは、ＵＥ１００が、ＣＳＧに属するか否かを示す情報である。ＵＥ１００は、作成されたメジャーメントレポートをＭｅＮＢ２００−１に送信する（ステップＳ１０６）。ＭｅＮＢ２００−１は、ＵＥ１００からメジャーメントレポートを取得する（ステップＳ１０６）。ＭｅＮＢ２００−１は、図１２に示す処理を実行する。
【００９７】
図１２において、ＭｅＮＢ２００−１は、メジャーメントレポートを取得すると（ステップＳ１０６）、ＣＳＧセル／ハイブリッドセルを対象にしたＳｅＮＢ  Ａｄｄｉｔｉｏｎ処理を開始するか否か決定する（ステップＳ１０７−１）。ステップＳ１０７−１は、ＭｅＮＢ２００−１が、メジャーメントレポートに含まれたＨｅＮＢ４００−１及びＨｅＮＢ４００−２に関する各ＣＳＧ−ＩＤが、自ＭｅＮＢにおいて予め記憶していたＣＳＧ−ＩＤのリスト（ホワイトリスト）に含まれているか否かを確認することによって行われる。
【００９８】
ステップＳ１０７−１において、ＭｅＮＢ２００−１は、ＨｅＮＢ４００−１とＨｅＮＢ４００−２に関するＣＳＧ−ＩＤが、予め記憶していたホワイトリストに含まれていると理解できたならば、ＣＳＧセル／ハイブリッドセルを対象にしたＳｅＮＢ  Ａｄｄｉｔｉｏｎ処理を開始すると決める。その場合、ＭｅＮＢ２００−１は、Ｘ２−ＧＷ５００に、ＳｅＮＢ  Ａｄｄｉｔｉｏｎ要求メッセージを送る（ステップＳ１０７）。ＳｅＮＢ  Ａｄｄｉｔｉｏｎ要求メッセージは、図９に示すように、ＨｅＮＢ４００−１／ＨｅＮＢ４００−２に関するＣＳＧメンバーステータスと、ＨｅＮＢ４００−１／ＨｅＮＢ４００−２についての無線品質の測定結果と、を含む。ＣＳＧメンバーステータスと無線品質の測定結果は、ステップＳ１０６におけるメジャーメントレポートに含まれていた情報である。ＭｅＮＢ２００−１は、Ｘ２−ＧＷ５００に、ＳｅＮＢ  Ａｄｄｉｔｉｏｎ要求メッセージを送るとき、Ｘ２−ＧＷを送り先として設定し、Ｘ２−ＧＷよりも先に存在するＨｅＮＢ４００を送り先に設定しない。つまり、ＭｅＮＢ２００−１は、ＳｅＮＢ  Ａｄｄｉｔｉｏｎ要求メッセージの送り先となるＨｅＮＢ４００を決めない。これにより、ＭｅＮＢ２００−１の処理負荷を減らすことができる。
【００９９】
ステップＳ１０７−１において、ＭｅＮＢ２００−１は、ＨｅＮＢ４００−１／ＨｅＮＢ４００−２に関するＣＳＧ−ＩＤが、予め記憶していたホワイトリストに含まれていなかったならば、Ｘ２−ＧＷ５００に、ＳｅＮＢ  Ａｄｄｉｔｉｏｎ要求メッセージを送らない（ステップＳ１０７−２）。
【０１００】
なお、ステップＳ１０７−０１において、ＭｅＮＢ２００−１は、先に説明した方法に代えて、次の方法（第２方法）を適用してもよい。第２方法では、ＭｅＮＢ２００−１は、図１０に示すステップＳ１４（図１１に示すステップＳ２３）において、Ｘ２−ＧＷから、ＨｅＮＢ４００−１／ＨｅＮＢ４００−２に関する上述した第２の運用情報を取得できていたならば、第２の運用情報に基づいてＳｅＮＢ  Ａｄｄｉｔｉｏｎ処理を開始する。この処理は、ＭｅＮＢ２００−１の運用ポリシーに従って実行される。例えば、ＭｅＮＢ２００−１は、運用上、ＳｅＮＢの候補として少なくともハイブリッドモードのＨｅＮＢを望むならば、ＨｅＮＢ４００−１／ＨｅＮＢ４００−２に関する第２の運用情報の一部又は全部がハイブリッドモードである場合にＳｅＮＢ  Ａｄｄｉｔｉｏｎ処理を開始する。一方で、ＭｅＮＢ２００−１は、運用上、ＳｅＮＢの候補として少なくともクローズドモードのＨｅＮＢを望むならば、ＨｅＮＢ４００−１／ＨｅＮＢ４００−２に関する第２の運用情報の一部又は全部がクローズドモードである場合にＳｅＮＢ  Ａｄｄｉｔｉｏｎ処理を開始する。
【０１０１】
次に、図９に示す動作説明を再開する。図９において、Ｘ２−ＧＷ５００は、ステップＳ１０７においてＭｅＮＢ２００−１からＳｅＮＢ  Ａｄｄｉｔｉｏｎ要求メッセージを取得すると、ステップＳ１０８を実行する。ステップＳ１０８では、Ｘ２−ＧＷ５００が、ステップＳ１０１乃至ステップＳ１０２において取得して記憶していたＨｅＮＢ４００−１／ＨｅＮＢ４００−２に関するＨｅＮＢ運用情報（第１の運用情報）と、ＳｅＮＢ  Ａｄｄｉｔｉｏｎ要求メッセージに含まれていたＨｅＮＢ４００−１／ＨｅＮＢ４００−２に関する無線品質の測定結果に基づいて、ＭｅＮＢ２００−１から受け取ったＳｅＮＢ  Ａｄｄｉｔｉｏｎ要求メッセージの送り先となるＨｅＮＢ４００を決定する。この場合、Ｘ２−ＧＷ５００は、ＨｅＮＢ運用情報（第１の運用情報）に対応するＨｅＮＢ４００の各々（ＨｅＮＢ４００−１／ＨｅＮＢ４００−２）について優先順位を設定する。
【０１０２】
優先順位は、例えば、以下に示すポリシーによって設定される。  
【０１０３】
（１）無線品質が他のＨｅＮＢよりも相対的に良く、収容可能であるＵＥ数が多いＨｅＮＢほど優先順位を高くする。  
【０１０４】
（２）無線品質が他のＨｅＮＢよりも相対的に良く、現在接続されているＵＥ数の少ないＨｅＮＢほど優先順位を高くする。  
【０１０５】
（３）無線品質が他のＨｅＮＢよりも相対的に良く、使用されている無線リソースブロック数が少ないＨｅＮＢほど優先順位を高くする。  
【０１０６】
（４）無線品質が他のＨｅＮＢよりも相対的に良く、ハードウェアの負荷度合が小さいＨｅＮＢほど優先順位を高くする。  
【０１０７】
なお、上記（１）〜（４）のポリシーを複合して適用してもよい。
【０１０８】
Ｘ２−ＧＷ５００は、設定された優先順位に従って、優先順位の高いＨｅＮＢ４００（図９ではＨｅＮＢ４００−１とする）からＳｅＮＢ  Ａｄｄｉｔｉｏｎ要求メッセージを送信する（ステップＳ１０９）。
【０１０９】
Ｘ２−ＧＷ５００は、ＳｅＮＢ  Ａｄｄｉｔｉｏｎ要求メッセージの送り先であるＨｅＮＢ４００−１から、ＳｅＮＢ  Ａｄｄｉｔｉｏｎ拒否メッセージ（ＨｅＮＢ４００−１の識別情報｛セルＩＤ等｝を含む）を取得したならば（ステップＳ１１０）、優先順位に従って、次の順位のＨｅＮＢ４００（図９ではＨｅＮＢ４００−２とする）に対してＳｅＮＢ  Ａｄｄｉｔｉｏｎ要求メッセージを送信する（ステップＳ１１０）。Ｘ２−ＧＷ５００は、ＳｅＮＢ  Ａｄｄｉｔｉｏｎ要求メッセージの送信先のＨｅＮＢ４００−２からＳｅＮＢ  Ａｄｄｉｔｉｏｎ肯定応答メッセージ（ＨｅＮＢ４００−２の識別情報｛セルＩＤ等｝を含む）を取得したならば（ステップＳ１１２）、ＳｅＮＢ  Ａｄｄｉｔｉｏｎ要求メッセージの送信処理を停止する。つまり、Ｘ２−ＧＷ５００は、ＳｅＮＢ  Ａｄｄｉｔｉｏｎ要求メッセージの送信先のＨｅＮＢ４００−２からＳｅＮＢ  Ａｄｄｉｔｉｏｎ肯定応答メッセージを受け取るまで、優先順位に基づいてＳｅＮＢ  Ａｄｄｉｔｉｏｎ要求メッセージの送信処理を続行する。なお、Ｘ２−ＧＷ５００は、ｅＮＢ  Ａｄｄｉｔｉｏｎ要求メッセージの送信先のＨｅＮＢ４００−２から一定閾値以上のＮＡＣＫを受信した場合にＳｅＮＢ  Ａｄｄｉｔｉｏｎ  ＦａｉｌｕｒｅメッセージをＭｅＮＢ２００−１に送信してもよい。この場合の閾値の設定方法は、ＳｅＮＢ  Ａｄｄｉｔｉｏｎ動作に要するＬａｔｅｎｃｙや、ＭｅＮＢ２００−１からＵＥ１００の移動速度を取得できたならば、そのＵＥ１００の移動速度等を考慮して設定されてもよい。
【０１１０】
Ｘ２−ＧＷ５００は、ＨｅＮＢ４００−２からＳｅＮＢ  Ａｄｄｉｔｉｏｎ肯定応答メッセージを受け取ると（ステップＳ１１２）、そのＳｅＮＢ  Ａｄｄｉｔｉｏｎ肯定応答メッセージを、ＭｅＮＢ２００−１に送る（ステップＳ１１３）。
【０１１１】
ＭｅＮＢ２００−１は、Ｘ２−ＧＷ５００からＳｅＮＢ  Ａｄｄｉｔｉｏｎ肯定応答メッセージを取得すると、ＵＥ１００に対して、ＳｅＮＢの候補となるＨｅＮＢ４００−２に関するＣＳＧ−ＩＤを含んだＲＲＣ  Ｃｏｎｎｅｃｔｉｏｎ  Ｒｅｃｏｎｆｉｇｕｒａｔｉｏｎメッセージを送る（ステップＳ１１４）。
【０１１２】
ＵＥ１００は、ＭｅＮＢ２００−１からＲＲＣ  Ｃｏｎｎｅｃｔｉｏｎ  Ｒｅｃｏｎｆｉｇｕｒａｔｉｏｎメッセージを取得すると、該ＵＥ１００におけるＳｅＮＢのための設定を実行する。ＵＥ１００は、設定が完了すると、ＭｅＮＢ２００−１にＲＲＣ  Ｃｏｎｎｅｃｔｉｏｎ  Ｒｅｃｏｎｆｉｇｕｒａｔｉｏｎ  Ｃｏｍｐｌｅｔｅメッセージを送信する（ステップＳ１１５）。
【０１１３】
ＭｅＮＢ２００−１は、ＵＥ１００からＲＲＣ  Ｃｏｎｎｅｃｔｉｏｎ  Ｒｅｃｏｎｆｉｇｕｒａｔｉｏｎ  Ｃｏｍｐｌｅｔｅメッセージを取得すると、Ｘ２−ＧＷ５００を介してＨｅＮＢ４００−２にＳｅＮＢ  Ｒｅｃｏｎｆｉｇｕｒａｔｉｏｎ  Ｃｏｍｐｌｅｔｅメッセージを送信する（ステップＳ１１６）。なお、ＭｅＮＢ２００−１は、ＨｅＮＢ４００−２との間にＸ２インターフェイスを構築しているならば、Ｘ２−ＧＷ５００を介さずに、そのＸ２インターフェイスを介して直接ＲＲＣ  Ｃｏｎｎｅｃｔｉｏｎ  Ｒｅｃｏｎｆｉｇｕｒａｔｉｏｎ  ＣｏｍｐｌｅｔｅメッセージをＨｅＮＢ４００−２に送ってもよい。
【０１１４】
以上の処理が完了すると、ＵＥ１００とＨｅＮＢ４００−２との間でＲａｎｄｏｍ  Ａｃｃｅｓｓ処理が実行される（ステップＳ１１７）。これにより、ＵＥ１００は、ＭｅＮＢ２００−１をマスタ基地局、ＨｅＮＢ４００−２をセカンダリ基地局とした二重接続方式による通信を実行できる。
【０１１５】
（第１実施形態のまとめ）  
上述した第１実施形態では、Ｘ２−ＧＷ５００が、ＨｅＮＢ４００−１／ＨｅＮＢ４００−２に関するＨｅＮＢ運用情報（第１の運用情報）と、ＨｅＮＢ４００−１／ＨｅＮＢ４００−２に関する無線品質の測定結果に基づいて、ＳｅＮＢ  Ａｄｄｉｔｉｏｎ要求メッセージの送り先となるＨｅＮＢ４００を決定する。つまり、Ｘ２−ＧＷ５００が、ＵＥ１００のために、ＨｅＮＢ４００の運用状況や無線品質を考慮して、ＳｅＮＢとして適切なＨｅＮＢ４００を決めることができる。これにより、ＨｅＮＢ４００がＳｅＮＢの候補として選択されるシナリオにおいて、ＳｅＮＢ  Ａｄｄｉｔｉｏｎプロシージャが失敗する確立が高くなるという事態を回避することが可能となる。また、Ｘ２−ＧＷ５００が、ＭｅＮＢ２００−１に代わって、ＵＥ１００にとって適切なＳｅＮＢを特定することができるので、ＭｅＮＢ２００−１によるＳｅＮＢ  Ａｄｄｉｔｉｏｎプロシージャのための処理負荷を低減できる。
【０１１６】
［第２実施形態］  
次に、図１３及び図１４を用いて、第２実施形態を説明する。第２実施形態については、第１実施形態との相違点を主として説明する。
【０１１７】
第１実施形態では、Ｘ２−ＧＷ５００が、ステップＳ１０８において、ＨｅＮＢ運用情報（第１の運用情報）に対応するＨｅＮＢ４００の各々（ＨｅＮＢ４００−１／ＨｅＮＢ４００−２）について優先順位を設定し、優先順位の高いＨｅＨＢ４００から順次ＳｅＮＢ  Ａｄｄｉｔｉｏｎ要求メッセージを送信していたが、第２実施形態は、優先順位の最上位から所定順位までのＨｅＮＢ４００（図１３及び図１４ではＨｅＮＢ４００−１とＨｅＮＢ４００−２）に対して、同時に一斉にＳｅＮＢ  Ａｄｄｉｔｉｏｎ要求メッセージを送信する（Ｓ１０９Ａ）。なお、Ｘ２−ＧＷ５００は、ステップＳ１０８の段階で優先順位を設定せずに、ＨｅＮＢ運用情報（第１の運用情報）に対応するＨｅＮＢ４００の全てに対して一斉にＳｅＮＢ  Ａｄｄｉｔｉｏｎ要求メッセージを送信してもよい。
【０１１８】
Ｘ２−ＧＷ５００が、複数のＨｅＮＢ４００に対して一斉にＳｅＮＢ  Ａｄｄｉｔｉｏｎ要求メッセージを送信した後は、図１３及び図１４に示す処理が想定される。図１３は、Ｘ２−ＧＷ５００が、一つのＨｅＮＢ４００（図１３では、ＨｅＮＢ４００−２）から、ＳｅＮＢ  Ａｄｄｉｔｉｏｎ肯定応答メッセージを取得した場合の動作を示す。図１４は、Ｘ２−ＧＷ５００が、複数のＨｅＮＢ４００（図１４では、ＨｅＮＢ４００−１とＨｅＮＢ４００−２）から、それぞれＳｅＮＢ  Ａｄｄｉｔｉｏｎ肯定応答メッセージを取得した場合の動作を示す。
【０１１９】
図１３において、Ｘ２−ＧＷ５００は、ＨｅＮＢ４００−１からＳｅＮＢ  Ａｄｄｉｔｉｏｎ拒否メッセージ（ＨｅＮＢ４００−１の識別情報｛セルＩＤ等｝を含む）を取得すると（ステップＳ１１０）、そのＳｅＮＢ  Ａｄｄｉｔｉｏｎ拒否メッセージに対しては特に反応しない。Ｘ２−ＧＷ５００は、ＨｅＮＢ４００−２からＳｅＮＢ  Ａｄｄｉｔｉｏｎ肯定応答メッセージ（ＨｅＮＢ４００−２の識別情報｛セルＩＤ等｝を含む）を取得すると、そのＳｅＮＢ  Ａｄｄｉｔｉｏｎ肯定応答メッセージを、ＭｅＮＢ２００−１に送る（ステップＳ１１３）。その後の動作は、第１実施形態を同様である。
【０１２０】
図１４において、Ｘ２−ＧＷ５００は、ＨｅＮＢ４００−１／ＨｅＮＢ４００−２からそれぞれＳｅＮＢ  Ａｄｄｉｔｉｏｎ肯定応答メッセージ（各ＨｅＮＢ４００の識別情報｛セルＩＤ等｝を含む）を取得すると（ステップＳ１１２）、ステップＳ２０１を実行する。ステップＳ２０１では、Ｘ２−ＧＷ５００が、ステップＳ１０１乃至ステップＳ１０２において取得して記憶していたＨｅＮＢ４００−１／ＨｅＮＢ４００−２に関するＨｅＮＢ運用情報（第１の運用情報）と、ＳｅＮＢ  Ａｄｄｉｔｉｏｎ要求メッセージに含まれていたＨｅＮＢ４００−１／ＨｅＮＢ４００−２に関する無線品質の測定結果に基づいて、どのＨｅＮＢ４００（ＨｅＮＢ４００−１／ＨｅＮＢ４００−２）のＳｅＮＢ  Ａｄｄｉｔｉｏｎ肯定応答メッセージをＭｅＮＢ２００−１に送るべきかを判断し、その対象となるＨｅＮＢ４００を選択（特定）する。図１４では、ＨｅＮＢ４００−２が選択されたものとする。なお、Ｘ２−ＧＷ５００は、ステップＳ２０１を実行するにあたり、ステップＳ１０８において用いた優先順位を利用するのが望ましい。
【０１２１】
Ｘ２−ＧＷ５００は、ステップＳ２０１でＨｅＮＢ４００−２を選択すると、ＨｅＮＢ４００−２から取得していたＳｅＮＢ  Ａｄｄｉｔｉｏｎ肯定応答メッセージ（ＨｅＮＢ４００−２の識別情報｛セルＩＤ等｝を含む）をＭｅＮＢ２００−１に送る（ステップＳ１１３）。ステップＳ１１３から後の動作は、第１実施形態と同様である。一方で、ステップＳ２０１において選択されなかったＨｅＮＢ４００−１には、ＳｅＮＢ  Ｒｅｌｅａｓｅ要求メッセージを送る（ステップＳ２０２）。
【０１２２】
なお、Ｘ２−ＧＷ５００は、ステップＳ１０９Ａにおいて、複数のＨｅＮＢ４００に対して同時に一斉にＳｅＮＢ  Ａｄｄｉｔｉｏｎ要求メッセージを送信してから、所定時間の間に取得された複数のＳｅＮＢ  Ａｄｄｉｔｉｏｎ肯定応答メッセージに対応した複数のＨｅＮＢ４００を対象にしてステップＳ２０１を実行してもよい。この場合、所定時間の間に一つのＨｅＮＢ４００のみからＳｅＮＢ  Ａｄｄｉｔｉｏｎ肯定応答メッセージが返ってこなかったならば、そのＳｅＮＢ  Ａｄｄｉｔｉｏｎ肯定応答メッセージをＭｅＮＢ２００−１に送るようにしてもよい。
【０１２３】
（第２実施形態のまとめ）  
上述した第２実施形態は、第１実施形態と同様に、ＨｅＮＢ４００がＳｅＮＢの候補として選択されるシナリオにおいて、ＳｅＮＢ  Ａｄｄｉｔｉｏｎプロシージャが失敗する確立が高くなるという事態を回避することが可能となる。また、Ｘ２−ＧＷ５００が、ＭｅＮＢ２００−１に代わって、ＵＥ１００にとって適切なＳｅＮＢを特定することができるので、ＭｅＮＢ２００−１によるＳｅＮＢ  Ａｄｄｉｔｉｏｎプロシージャのための処理負荷を低減できる。
【０１２４】
［その他の実施形態］  
上述した各実施形態では、Ｘ２−ＧＷ５００が、ＭｅＮＢ２００−１に代わって、ＵＥ１００にとって適切なＳｅＮＢを特定していたが、Ｘ２−ＧＷ以外のネットワーク装置（例えば、ＭＭＥやＨｅＮＢ−ＧＷ等）が実行できるようにしてもよい。
【０１２５】
上述した実施形態では、移動通信システムの一例としてＬＴＥシステムを説明したが、ＬＴＥシステムに限定されるものではなく、ＬＴＥシステム以外のシステムに本発明を適用してもよい。
【０１２６】
［相互参照］
日本国特許出願第２０１５−１００１３０号（２０１５年５月１５日出願）の全内容が参照により本願明細書に組み込まれている。
【産業上の利用可能性】
【０１２７】
本発明は、通信分野において有用である。
【図１】
2016185946.tif 000003
【図２】
2016185946.tif 000004
【図３】
2016185946.tif 000005
【図４】
2016185946.tif 000006
【図５】
2016185946.tif 000007
【図６】
2016185946.tif 000008
【図７】
2016185946.tif 000009
【図８】
2016185946.tif 000010
【図９】
2016185946.tif 000011
【図１０】
2016185946.tif 000012
【図１１】
2016185946.tif 000013
【図１２】
2016185946.tif 000014
【図１３】
2016185946.tif 000015
【図１４】
2016185946.tif 000016
【国際調査報告】
2016185946.tif 000017
2016185946.tif 000018
2016185946.tif 000019
2016185946.tif 000020